(57)【要約】【課題】  コンピュータの主電源オフによる待機電力の低減および同一分電盤に接続された照明、空調等の電源オフを各フロア毎または各部門毎などの特定単位毎に自動的に行う電源自動制御システムを提供する。【解決手段】  本発明の電源自動制御システムは、複数の電気機器が接続され前記電機機器の電力供給を行う電源コントロール部と、照明器具を含み前記電源コントロール部から電源供給される少なくともひとつの第一の電気機器と、コンピュータやプリンタから成り前記電源コントロール部から電源供給される少なくともひとつの第二の電気機器と、前記第二の電気機器にネットワークを介して疎通を確認して前記第二の電気機器のいずれからも応答がなかったときに前記電源コントロール部を制御して前記第一の電気機器と前記第二の電気機器への電力供給を停止する電源監視／制御サーバとを備えるようにした。【選択図】図１
2007189848.tif 000002
【特許請求の範囲】
【請求項１】
複数の電気機器が接続され前記電機機器の電力供給を行う電源コントロール部と、
照明器具を含み前記電源コントロール部から電源供給される少なくともひとつの第一の電気機器と、
コンピュータやプリンタから成り前記電源コントロール部から電源供給される少なくともひとつの第二の電気機器と、
前記第二の電気機器にネットワークを介して疎通を確認して前記第二の電気機器のいずれからも応答がなかったときに前記電源コントロール部を制御して前記第一の電気機器と前記第二の電気機器への電力供給を停止する電源監視／制御サーバと
を備えたことを特徴とする電源自動制御システム。
【発明の詳細な説明】
【技術分野】
【０００１】
本発明は、オフィスに設置されたコンピュータの電源制御に係り、各フロアまたは各部門毎にコンピュータの電源オフ制御が可能な電源自動制御システムに関する。
【背景技術】
【０００２】
オフィスに設置されネットワーク接続された複数のコンピュータの電源オフ／オンを自動的に行うシステムが、例えば特許文献1に記載されている。この特許文献1には、複数のコンピュータがネットワークを介して共通の入出力装置を利用するシステムにおいて、前記コンピュータの各々の電源オン、オフ状態を監視して、共通の入出力装置の電源を制御する技術が開示されている。
【０００３】
【特許文献１】特開平６−２４２８５８号公報
【発明の開示】
【発明が解決しようとする課題】
【０００４】
上記特許文献１に開示されている技術では、コンピュータ自体の主電源をオフすることはできない。このため、たとえ、コンピュータが待機状態になる機能をもっていても電力消費をゼロにすることはできない。また、特許文献１ではコンピュータの電源がオフされたことを検出する手段として、コンピュータに電源出力線を設けることにより実現しているが、コンピュータの構成変更（増設／減設）が困難である。
【０００５】
さらに、オフィスにはコンピュータ以外にも照明、空調等の電力設備があり、これらの設備も含めて電源オフできることが望まれている。
【０００６】
本発明の目的は、コンピュータの主電源オフによる待機電力の低減および同一分電盤に接続された照明、空調等の電源オフを各フロア毎または各部門毎などの特定単位毎に自動的に行う電源自動制御システムを提供することにある。
【課題を解決するための手段】
【０００７】
本発明の電源自動制御システムは、複数の電気機器が接続され前記電機機器の電力供給を行う電源コントロール部と、照明器具を含み前記電源コントロール部から電源供給される少なくともひとつの第一の電気機器と、コンピュータやプリンタから成り前記電源コントロール部から電源供給される少なくともひとつの第二の電気機器と、前記第二の電気機器にネットワークを介して疎通を確認して前記第二の電気機器のいずれからも応答がなかったときに前記電源コントロール部を制御して前記第一の電気機器と前記第二の電気機器への電力供給を停止する電源監視／制御サーバとを備えるようにした。
【発明の効果】
【０００８】
本発明によれば、各フロアまたは各部門毎に接続されたプリンタ、照明、空調等の電源が自動的に電源オフされるため電源消し忘れによる消費電力の浪費防止、およびコンピュータの主電源オフによる待機電力の消費低減を行うことができるので、省エネルギーシステムを提供することができる。
【発明を実施するための最良の形態】
【０００９】
以下に、本発明による電源自動制御システムの実施例を図面により説明する。図１は本発明の一実施例としてのシステム構成図である。図１において、各フロアまたは各部門（１００，２００）毎に設置されたネットワーク５にコンピュータとしてＰＣ１が接続され、Ｉ／Ｏ装置としてプリンタ２等が接続されている。また、１ａ，２ａは各々の機器をネットワーク接続接続するためのケーブル（ＬＡＮケーブル）、１ｂ，２ｂは各々の機器の電源ケーブルで各フロアまたは各部門（１００，２００）毎の分電盤８に接続される。同じく照明３、空調４の電源３ａ，４ａも分電盤８に接続される。
【００１０】
電源監視／制御サーバ６は、各フロアまたは各部門（１００，２００）のネットワーク５に接続され、ネットワーク５に接続された各ＰＣ１の電源状態（オフ／オン）を電源監視／制御サーバ６へのログオン情報またＬＡＮ経由でのｐｉｎｇ１０の応答により監視を行う。
【００１１】
電源コントロール部７は、ブレーカ制御部７ａ，ブレーカ７ｂ，スケジューラ７ｃ，ＲＣＴ７ｄにより構成され、ブレーカ制御部７ａは電源監視／制御サーバ６とブレーカ制御信号６ｂにより接続され電源監視／制御サーバ６から電源オフ／オン命令により、各フロアまたは各部門（１００，２００）の分電盤８に接続されたブレーカ７ｂのオフ／オンを行う。ＲＴＣ７ｄはブレーカ制御部に接続され、ブレーカ制御部がブレーカのオフ／オンをタイマー制御することができる。スケジューラ７ｃはブレーカ制御部に接続され、スケジューラに設定された時間にブレーカ制御部がブレーカのオフ／オンを行うことができる。
【００１２】
次に図1を用いて電源自動制御システムの動作を説明する。
各フロアまたは各部門毎に設置された各ＰＣ１は通常時、各個人のＰＣとして業務使用され、帰宅時には使用者個人によりＰＣ１の電源がオフされる。
【００１３】
電源監視／制御サーバ6は、各フロアまたは各部門毎に設置されたＰＣ１の電源状態（オン／オフ）をＬＡＮ経由でのｐｉｎｇ10の応答により電源状態（オン／オフ）の監視を行い、ＰＣ１から応答があればＰＣ１は電源オン状態にあり、ＰＣ１から応答がなければＰＣ１は電源オフ状態にあるとしている。最終退場者のＰＣ１の電源がオフされ、各フロアまたは各部門毎に接続されたＰＣ１が全台数電源オフ状態となったときには、電源監視／制御サーバ6は、各フロアまたは各部門に設置された電源コントロール部7内のブレーカ制御部7aに対して、指定したフロアまたは各部門毎のブレーカＯＦＦ信号をブレーカ制御信号6b経由で送信する。
【００１４】
ブレーカ制御部7aはブレーカＯＦＦ信号を受信した後、ブレーカ7bの電源オフ処理を行う。ブレーカ7bの電源オフ後、分電盤8に接続された照明3、空調4の電源3a、4aへの供給がオフされるため、照明3、空調4の電源がオフされる。また、分電盤8に接続されたＰＣ1の電源は各個人の帰宅時に電源オフされているが、ＰＣ1の電源ケーブル1bは分電盤に接続されているためサブ電源がオンになっており待機電力が消費されているが、ブレーカ7bの電源オフによりＰＣ1の電源1bへの供給がオフされるため、サブ電源もオフとなり待機電力の消費低減を行うことができる。なおブレーカ7bの電源オフ処理は、最終退場者がフロアから退室するまでの時間を考慮して、ブレーカ制御部7aがブレーカＯＦＦ信号を受信した後、ＲＴＣ7ｄにより一定時間のＷＡＩＴ時間を設けてからブレーカ7bの電源オフ処理を行うこととする。
【００１５】
なお、各フロアまたは各部門（100、200）毎のブレーカ7bの電源オンは、電源コントロール部7内のブレーカ制御部7aに接続されたスケジューラ7cに電源オン時間を設定することによりブレーカの定時刻オンを自動的に行う。
【００１６】
以上により、各フロアまたは各部門（100、200）毎の最終退場者のＰＣ1電源がオフされることによりフロアまたは各部門（100、200）毎に接続された照明3、空調4、ＰＣ1のサブ電源等の電源が自動的に電源オフされるため、電源消し忘れによる消費電力の浪費防止およびＰＣ1電源の待機電力の消費低減を行うことができる。
【図面の簡単な説明】
【００１７】
【図１】実施例のシステム構成図である。
【符号の説明】
【００１８】
1…ＰＣ（コンピュータ）、1a…ＰＣ1に接続されるＬＡＮケーブル、
1b…ＰＣ1の電源ケーブル、2…プリンタ、2a…プリンタに接続されるＬＡＮケーブル、
2b…プリンタの電源ケーブル、3…照明、3a…照明の電源ケーブル、4…空調、
4a…空調の電源ケーブル、5…ネットワーク、6…電源監視／制御サーバ、
6a…電源監視／制御サーバに接続されるＬＡＮケーブル、
6b…電源監視／制御サーバとブレーカ制御部を接続するブレーカ接続ケーブル、
7…電源コントロール部、7a…電源コントロール部内ブレーカ制御部、
7b…電源コントロール部内ブレーカ、7c…電源コントロール部内ＲＴＣ、
8…分電盤
【図１】
2007189848.tif 000003